(57)【要約】【課題】検査情報を容易に認識できるようにする。【解決手段】制御装置１０１は、検査情報に係る入力値に対応する情報である対応情報を保持しており、検査情報に係る入力値を入力した場合、保持している当該入力値の対応情報を出力する。【選択図】図１
2014063384.tif 000002
【特許請求の範囲】
【請求項１】
検査情報に係る入力値に対応する情報である対応情報を保持する保持手段と、
検査情報に係る入力値を入力する入力手段と、
前記入力手段により検査情報に係る入力値が入力された場合、前記保持手段において保持される当該入力値の対応情報を出力する出力手段とを有することを特徴とする医用情報処理装置。
【請求項２】
前記入力手段は、検査装置から検査情報に係る入力値を入力し、又は、ユーザの操作に応じて検査情報に係る入力値を入力することを特徴とする請求項１に記載の医用情報処理装置。
【請求項３】
前記出力手段は、前記対応情報である表示値を表示手段に対して出力し、又は、前記対応情報である出力値を外部装置に対して出力することを特徴とする請求項１又は２に記載の医用情報処理装置。
【請求項４】
前記入力手段による入力値の入力を有効とするか無効とするかを設定する設定手段を更に有し、
前記出力手段は、前記入力手段による入力値の入力を無効とすることが前記設定手段により設定されている場合、予め登録されたデフォルト値、又は、前記デフォルト値に対応する対応情報を出力することを特徴とする請求項１乃至３の何れか１項に記載の医用情報処理装置。
【請求項５】
医用情報処理装置によって実行される医用情報処理方法であって、
検査情報に係る入力値を入力する入力ステップと、
前記入力ステップにより検査情報に係る入力値が入力された場合、検査情報に係る入力値に対応する情報である対応情報を保持する保持手段において保持される当該入力値の対応情報を出力する出力ステップとを有することを特徴とする医用情報処理方法。
【請求項６】
医用情報処理装置によって実行される医用情報処理方法をコンピュータに実行させるためのプログラムであって、
検査情報に係る入力値を入力する入力ステップと、
前記入力ステップにより検査情報に係る入力値が入力された場合、検査情報に係る入力値に対応する情報である対応情報を保持する保持手段において保持される当該入力値の対応情報を出力する出力ステップとをコンピュータに実行させるためのプログラム。
【発明の詳細な説明】
【技術分野】
【０００１】
本発明は、検査情報に係る入力値に対応する情報を出力する技術に関するものである。
【背景技術】
【０００２】
Ｘ線検査を実施する際に、入力された検査情報を実際の検査内容に修正したり、出力情報のフォーマットを修正したりする必要がある。この場合、手動で情報を修正すると、ユーザの手番が多くなってしまう。これに対し、特許文献１には、医用画像配信システムにおいて正しい情報に自動で修正する技術が開示されている。特許文献２には、検査を実施する際に、検査に必要な情報をユーザが簡単に認識する必要があるため、必要な情報の視認性を上げる技術が開示されている。
【先行技術文献】
【特許文献】
【０００３】
【特許文献１】特開２００３−５８８６６号公報
【特許文献２】特開平５−４９６３２号公報
【発明の概要】
【発明が解決しようとする課題】
【０００４】
しかしながら、特許文献１及び２に開示される技術では、入力された検査情報に応じた出力情報をユーザが自由に指定することができない。従って、検査情報として入力された撮影部位を表示する場合でも、自国語でない言語で入力された検査情報がそのまま表示され、検査情報を容易に認識できないという問題があった。
【０００５】
そこで、本発明の目的は、検査情報を容易に認識できるようにすることにある。
【課題を解決するための手段】
【０００６】
本発明の医用情報処理装置は、検査情報に係る入力値に対応する情報である対応情報を保持する保持手段と、検査情報に係る入力値を入力する入力手段と、前記入力手段により検査情報に係る入力値が入力された場合、前記保持手段において保持される当該入力値の対応情報を出力する出力手段とを有することを特徴とする。
【発明の効果】
【０００７】
本発明によれば、検査情報を容易に認識することが可能となり、ユーザによる操作数の低減や検査時間の短縮を図ることができる。
【図面の簡単な説明】
【０００８】
【図１】本発明の実施形態に係る医用ネットワークシステムの構成を示す図である。
【図２】第１の実施形態における、入力値の対応情報を設定するための対応情報設定画面の例を示す図である。
【図３】検査時に表示部において表示される検査画面を示す図である。
【図４】検査情報編集画面の例を示す図である。
【図５】外部入力機器からの入力値に対応する表示値を決定する処理を説明するための図である。
【図６】第２の実施形態における、入力値の対応情報を設定するための対応情報設定画面の例を示す図である。
【図７】入力値の対応情報である表示値が編集されることにより実行される出力値の決定処理を示す処理を示すフローチャートである。
【図８】第３の実施形態における、入力値の対応情報を設定するための対応情報設定画面の例を示す図である。
【図９】検査中の表示値編集状態と、外部入力有効設定欄の状態と、外部出力有効設定欄の状態との組み合わせに対応する、入力値及び出力値の例を示す図である。
【図１０】第４の実施形態における、入力値の対応情報を設定するための対応情報設定画面の例を示す図である。
【図１１】検査中の表示値編集状態と、外部入力有効設定欄の状態と、外部出力有効設定欄の状態との組み合わせに対応する、入力値及び出力値の例を示す図である。
【発明を実施するための形態】
【０００９】
以下、本発明を適用した好適な実施形態を、添付図面を参照しながら詳細に説明する。なお、以下に説明する実施形態は、本発明を限定するものでない。また、本実施形態で説明する事項の全てが本発明に必須のものとは限らない。
【００１０】
先ず、本発明の第１の実施形態について説明する。図１は、本発明の第１の実施形態に係る医用ネットワークシステムの構成を示す図である。図１に示すように、第１の実施形態に係る医用ネットワークシステムにおいて、制御装置１０１は、Ｘ線画像撮影装置１０５、外部入力装置１０８及び外部出力装置１０９とネットワークを介して接続されている。
【００１１】
制御装置１０１は、外部入力機器１０８から入力された検査情報に基づいて、Ｘ線検査を制御する。外部入力機器１０８は、実施された検査に係る検査情報を制御装置１０１に対して入力するための検査装置であり、一般的には、ＲＩＳ(Radiology Information System)で実現される構成である。また、実施された検査に係る検査情報は、外部入力機器１０８から入力するのではなく、ユーザが制御部１０４に対して直接入力するようにしてもよい。なお、制御装置１０１は、医用情報処理装置の例となる構成である。
【００１２】
図１に示すように、制御装置１０１は、表示部１０２、操作部１０３及び制御部１０４を備える。表示部１０２は、画像データやＧＵＩ（グラフィカルユーザインタフェース）等を画面に表示する液晶ディスプレイ等で構成される。操作部１０３は、マウス、キーボード及び照射スイッチ等で構成される。制御部１０４は、Ｘ線画像撮影装置１０５を制御して撮影を実行させる機能や、撮影された画像データに対して画像処理を行う機能を備える。
【００１３】
また、図１に示すように、Ｘ線画像撮影装置１０５は、Ｘ線発生部１０６及びセンサ部１０７を備える。Ｘ線発生部１０６は、Ｘ線を被写体に対して照射する。センサ部１０７は、被写体を透過したＸ線を検知してＸ線画像データを撮影する。制御装置１０１より撮影指示が行われると、Ｘ線画像撮影装置１０５は、Ｘ線画像データを撮影し、制御装置１０１に対して出力する。
【００１４】
ユーザは、検査に必要な情報の入力、コマンドの入力及びＸ線撮影指示等を、操作部１０３を用いて行う。表示部１０２は、Ｘ線画像撮影装置１０５から入力したＸ線画像データや外部入力機器１０８から入力した検査情報を表示する。制御部１０４は、検査の開始処理又は終了処理や、Ｘ線画像データの画像調整処理や、実施された検査に係る検査情報の編集処理を行う。検査情報及び当該検査において撮影されたＸ線画像データは、ユーザの指示に応じて、制御装置１０１から外部出力機器１０９に対して出力される。外部出力機器１０９は、制御装置１０１から入力した検査情報及びＸ線画像データを保存し、表示するための外部装置である。一般的には、外部出力機器１０９は、ＰＡＣＳ(Picture Archiving and Communication System)で実現される構成である。
【００１５】
次に、図２を用いて、第１の実施形態における、入力値の対応情報を設定するための対応情報設定画面の例を示す図である。なお、図２に示す対応情報設定画面２０１は、表示部１０２において表示され、ユーザが操作部１０３を使用することにより操作される画面である。
【００１６】
ユーザは、対応情報設定画面２０１を用いて、入力値２０５の対応情報として、表示部１０２に表示する表示値２０６及び外部出力機器１０９に出力する出力値２０７を設定する。対応情報設定画面２０１のリスト２０４には、入力値２０５と、当該入力値２０５の対応情報として設定された表示値２０６及び出力値２０７との組が複数格納される。また、対応情報設定画面２０１は、外部入力機器１０８から入力値を入力するためのタグ番号を設定するための外部入力値設定欄２０８と、外部出力機器１０９に出力値を出力するためのタグ番号を設定するための外部出力値設定欄２０９とを備える。
【００１７】
また、対応情報設定画面２０１は、対象とする項目を設定するための項目設定欄２０２と、項目設定欄２０２において設定された項目のデフォルト値を設定するためのデフォルト値設定欄２０３とを備える。デフォルト値は、外部入力値設定欄２０８でタグ番号が設定された場合であっても、外部入力機器１０８から入力値が入力されなかったり、外部入力機器１０８から入力した入力値と同じ値の入力値２０５がリスト２０４上に存在しなかった場合に使用される値である。これらの設定は、検査情報だけではなく、患者名等の患者情報やＸ線画像データに係る画像情報等に対してそれぞれ設定可能であってもよい。
【００１８】
図３は、検査時に表示部１０２において表示される検査画面を示す図である。図３に示すように、検査画面３０１は、取得画像表示部３０２、患者情報表示部３０３、患者情報編集ボタン３０４、検査情報表示部３０５、検査情報編集ボタン３０６、画像情報編集ボタン３０７、及び、終了ボタン３０８を備える。
【００１９】
取得画像表示部３０２は、Ｘ線画像撮影装置１０５やデータベースから取得されたＸ線画像データを表示する。患者情報表示部３０３は、検査中の患者情報（患者ＩＤ、患者名、患者の性別、患者の生年月日）を表示する。検査情報表示部３０５は、当該検査の検査番号、当該検査におけるＸ線画像データ撮影時のプロトコル、及び、撮影済みのサムネイル画像データ等を表示する。検査画面３０１は、ユーザによって終了ボタン３０８が押下されると、消去され、検査情報編集ボタン３０６が押下されると、図４に示す検査情報編集画面４０１が表示される。
【００２０】
図４に示すように、検査情報編集画面４０１は、受付番号編集欄４０２、照会医師名編集欄４０３、施設名編集部４０４、及び、検査情報に設定された対応情報項目欄４０５を備える。図４の例では、図２の項目設定欄２０２に「体位」が設定され、リスト２０４の表示値２０６に「立位」、「座位」、「背臥位」、「腹臥位」及び「側臥位」が設定されていることを想定している。
【００２１】
制御部１０４は、外部入力機器１０８からの入力値に対応する表示値をリストから検索し、対応情報項目欄４０５において当該表示値を識別可能な状態で表示する。ユーザは、入力値に対応する表示値を編集する場合、対応情報項目欄４０５から他の表示値を選択したり、任意の表示値を入力したりする。また、デフォルト値設定欄２０３で設定されたデフォルト値に表示値を変更するようにしてもよい。なお、外部出力機器１０９に対する出力値は、対応情報項目欄４０５で設定された表示値にリスト２０４において対応付けられる出力値となる。
【００２２】
なお、患者情報編集ボタン３０４が押下された場合や画像情報編集ボタン３０７が押下された場合、検査情報編集画面４０１と同様の、患者情報を編集するための患者情報編集画面やＸ線画像データを編集するための画像情報編集画面が表示される。
【００２３】
次に、図５を参照しながら、外部入力機器１０８からの入力値に対応する表示値を決定する処理について説明する。なお、図５に示す処理は、制御装置１０１が表示値の出力指示を受け付けることにより開始される処理である。
【００２４】
ステップＳ５０１において、制御部１０４は、外部入力値設定欄２０８において外部入力機器１０８から入力値を得るための設定が行われているか否かを判定する。外部入力機器１０８から入力値を得るための設定が行われている場合、処理はステップＳ５０２に移行する。一方、外部入力機器１０８から入力値を入力するための設定が行われていない場合、処理はステップＳ５０３に移行する。
【００２５】
ステップＳ５０２において、制御部１０４は、外部入力機器１０８から入力値を取得したか否かを判定する。入力値を取得した場合、処理はステップＳ５０４に移行する。一方、入力値を取得していない場合、処理はステップＳ５０３に移行する。
【００２６】
ステップＳ５０４において、制御部１０４は、外部入力機器１０８から取得した入力値を設定する。ステップＳ５０３において、制御部１０４は、事前に設定されたデフォルト値を入力値として設定する。なお、ステップＳ５０３においては、空文字を入力値として設定するようにしてもよい。
【００２７】
ステップＳ５０５において、制御部１０４は、対応情報設定画面２０１のリスト２０４に、ステップＳ５０３又はＳ５０４で設定した入力値と同じ値の入力値２０５が設定されているか否かを判定する。同じ値の入力値２０５が設定されていない場合、処理はステップＳ５０６に移行する。一方、同じ値の入力値２０５が設定されている場合、処理はステップＳ５０７に移行する。
【００２８】
ステップＳ５０６において、制御部１０４は、事前に設定されたデフォルト値を表示値として決定する。ステップＳ５０７において、制御部１０４は、リスト２０４にて上記入力値２０５と対応付けられている表示値２０６を決定する。ここで決定された表示値２０６は、表示部１０２や外部出力機器１０９において表示される。図５のステップ５０６および５０７には、表示値となっているが、これ以外の情報が含まれていてもよい。例えば、画像を出力する際に利用されるC-STOREコマンドに付与される情報などが含まれていてもよい。
【００２９】
次に、本発明の第２の実施形態について説明する。第１の実施形態では、入力値の対応情報として表示値及び出力値を持つが、第２の実施形態では、入力値の対応情報を表示値のみとし、出力値は入力値と同じ値にする。なお、第２の実施形態に係る医用ネットワークシステムは、図１に示した構成と同様であるため、以下の説明では、図１に示した符号を流用するものとする。また、以下では、第１の実施形態との相違点に主眼をおいて説明を行うものとする。
【００３０】
図６は、第２の実施形態における、入力値の対応情報を設定するための対応情報設定画面の例を示す図である。なお、図２に示した対応情報設定画面２０１と同じ部分については、図２と同じ符号を付している。図６に示すように、第２の実施形態における対応情報設定画面６０１のリスト６０４には、入力値６０５と、当該入力値６０５の対応情報として設定された表示値６０６との組が複数格納される。
【００３１】
次に、図７を参照しながら、入力値６０５の対応情報である表示値６０６が編集されることにより実行される出力値の決定処理を示す処理について説明する。
【００３２】
ステップＳ７０１において、制御部１０４は、編集後の表示値が図６の対応情報設定画面のリスト６０４において保持されているか否かを判定する。編集後の表示値がリストにおいて保持されている場合、処理はステップＳ７０３に移行する。一方、編集後の表示値がリストにおいて保持されていない場合、処理はステップＳ７０２に移行する。
【００３３】
ステップＳ７０２において、制御部１０４は、リストにて編集後の表示値に対応付けられている入力値を出力値として設定する。ステップＳ７０３において、制御部１０４は、図６のデフォルト値設定欄２０３において設定されたデフォルト値に対応付けられている入力値を出力値として設定する。以上により、入力値の対応情報である表示値の編集、及び、それに伴う出力値の決定が行われる。ここでいう表示値の編集方法としては、編集画面上のコンボボックス等において事前登録された表示値一覧より所望の表示値を選択する方法や、ユーザが任意の表示値を入力する方法等が挙げられる。また、第２の実施形態のように、入力値の対応情報として表示値のみが保持されている場合、入力値又は表示値をそのまま当該入力値に対応する出力値としてもよい。
【００３４】
次に、本発明の第３の実施形態について説明する。第３の実施形態は、第２の実施形態と同様に、入力値の対応情報として表示値のみを持ち、さらに、外部入力機器１０８からの入力値の入力及び外部出力機器１０９に対する出力値の出力の有効／無効を設定するものである。以下では、第１の実施形態との相違点に主眼をおいて説明を行うものとする。
【００３５】
図８は、第３の実施形態における、入力値の対応情報を設定するための対応情報設定画面の例を示す図である。なお、図２に示した対応情報設定画面２０１と同じ部分については、図２と同じ符号を付している。
【００３６】
図８に示すように、対応情報設定画面８０１のリスト８０４には、入力値８０５と、当該入力値８０５の対応情報として設定された表示値８０６との組が複数格納される。また、対応情報設定画面８０１は、外部入力機器１０８からの入力の有効／無効を設定するための外部入力有効設定欄８１０と、外部出力機器１０９への出力の有効／無効を設定するための外部出力有効設定欄８１１とを備える。即ち、外部入力有効設定欄８１０のチェックボックスをチェックすると、外部入力値設定欄２０８において設定されたタグ番号が有効となり、当該チェックボックスのチェックを外すと、外部入力値設定欄２０８において設定されたタグ番号が無効となる。同じく、外部出力有効設定欄８１１のチェックボックスをチェックすると、外部出力値設定欄２０９において設定されたタグ番号が有効となり、当該チェックボックスのチェックを外すと、外部出力値設定欄２０９において設定されたタグ番号が無効となる。
【００３７】
図９は、検査中の表示値編集状態９０１と、外部入力有効設定欄８１０の状態９０２と、外部出力有効設定欄８１１の状態９０４との組み合わせに対応する、入力値９０３及び出力値９０５の例を示す図である。以下、図９を参照しながら、図８に示すようにデフォルト値やリスト８０４が設定されている場合において、検査中に表示値の編集が行われた場合の出力値の決定方法について説明する。
【００３８】
図９の９０６に示すように、入力及び出力がともに有効であり、入力値「Supine」がリスト８０４内に保持されており、検査中に表示値が編集されなかった場合、入力値「Supine」が出力値として決定される。また、図９の９０７に示すように、入力が無効、出力が有効であり、検査中に表示値が編集されなかった場合、リスト８０４においてデフォルト値「立位」に対応付けられている入力値「Erect」が出力値として決定される。
【００３９】
また、図９の９０８に示すように、入力及び出力がともに有効であり、検査中に表示値がリスト８０４において保持されている表示値「座位」に編集された場合、リスト８０４において編集後の表示値「座位」に対応付けられている入力値「Sitting」が出力値として決定される。また、図９の９０９に示すように、入力が無効、出力が有効であり、検査中に表示値がリスト８０４において保持されている表示値「座位」に編集された場合、リスト８０４において編集後の表示値「座位」に対応付けられている入力値「Sitting」が出力値として決定される。
【００４０】
また、図９の９１０及び９１１に示すように、入力の有効無効に関わらず、出力が有効であり、検査中に表示値がリスト８０４において保持されていない表示値「ABC」に編集された場合、編集後の表示値「ABC」が出力値として決定される。また、図９の９１２及び９１３に示すように、入力の有効無効に関わらず、出力が無効である場合、出力値は出力されない。図９の９０１には、表示値となっているが、これ以外の情報が含まれていてもよい。例えば、画像を出力する際に利用されるC-STOREコマンドに付与される情報などが含まれていてもよい。
【００４１】
次に、本発明の第４の実施形態について説明する。上述した第１〜第３の実施形態では、出力する撮影部位を設定する例を説明したが、本発明は、撮影部位に限定されない。ここでは、図１０〜図１１を参照しながら、入力された撮影部位によって出力する技師名を変更する場合について説明する。以下では、第１の実施形態との相違点に主眼をおいて説明を行うものとする。
【００４２】
図１０は、第４の実施形態における、入力値の対応情報を設定するための対応情報設定画面の例を示す図である。なお、図８に示した対応情報設定画面８０１と同じ部分については、図８と同じ符号を付している。
【００４３】
図１０に示すように、対応情報設定画面１００１のリストには、入力値１００５と、当該入力値１００４の対応情報として設定された表示値兼出力値１００６との組が複数格納される。また、図１０の例では、項目設定欄１００２には「ユーザ」が設定され、デフォルト値設定欄１００２には「gggg」が設定されている。即ち、図１０の例では、ユーザのデフォルト値として「gggg」が設定されている。入力値１００５には、検査部位が設定される。表示値兼出力値１００６には、表示値と出力値とを兼ねたユーザ名が設定される。
【００４４】
図１１は、検査中の表示値編集状態１１０１と、外部入力有効設定欄８１０の状態１１０２と、外部出力有効設定欄８１１の状態１１０４との組み合わせに対応する、入力値１１０３及び出力値１１０５の例を示す図である。以下、図１１を参照しながら、図１０に示すようにデフォルト値やリスト１００４が設定されている場合において、検査中に表示値の編集が行われた場合の出力値の決定方法について説明する。なお、外部出力有効設定欄８１１において出力の無効が設定されている場合、出力値１１０５は存在しないため、ここでは説明しない。
【００４５】
図１１の１１０６に示すように、入力及び出力がともに有効であり、入力値がリスト１００４内に保持されており、検査中に表示値が編集されなかった場合、リスト１００４において入力値「Supine」に対応付けられている表示値兼出力値「cccc」が出力値として決定される。また、図１１の１１０７に示すように、入力及び出力がともに有効であり、入力値「ABC」がリスト１００４内に保持されておらず、検査中に表示値が編集されなかった場合、デフォルト値「aaaa」が出力値として決定される。
【００４６】
また、図１１の１１０８に示すように、入力が無効、出力が有効であり、検査中に表示値が編集されなかった場合、デフォルト値「aaaa」が出力値として決定される。また、図１１の１１０９及び１１１０に示すように、入力の有効無効に関わらず、出力が有効であり、検査中に表示値がリスト１００４において保持されている表示値「eeee」に編集された場合、編集後の表示値「eeee」が出力値として決定される。
【００４７】
また、図１１の１１１１及び１１１２に示すように、入力の有効無効に関わらず、出力が有効であり、検査中に表示値がリスト１００４において保持されていない表示値「ffff」に編集された場合、編集後の表示値「ffff」が出力値として決定される。図１１の１１０１には、表示値となっているが、これ以外の情報が含まれていてもよい。例えば、画像を出力する際に利用されるC-STOREコマンドに付与される情報などが含まれていてもよい。
【００４８】
上述した第１〜第３の実施形態では、入力値がない場合や、編集後の表示値がリストから見つからない場合に利用するデフォルト値を予め設定しておく例を説明した。これに対し、デフォルト値をリストから設定せず、固定値をデフォルト値として設定したり、出力値を出力しないようにしてもよい。
【００４９】
また、第１の実施形態では、対応情報として表示値及び出力値を持つ例について説明し、第２の実施形態では、対応情報として表示値のみを持つ例について説明したが、対応情報として出力値のみを持つようにしてもよい。
【００５０】
また、第４の実施形態では、対応情報として表示値と出力値とを合わせた表示値兼出力値をもつ例について説明したが、対応情報として表示値のみ、又は出力値のみを持つようにしてもよい。さらに、複数種類の入力値の対応情報としてリスト内で重複する値を持つことにより、複数種類の入力情報を統一した出力情報に変換するようにしてもよい。
【００５１】
上述した実施形態においては、入力値に基づいて、ユーザによって登録された対応情報を表示又は出力させることが可能であるため、検査情報を容易に認識することが可能となり、ユーザによる操作数の低減や検査時間の短縮を図ることができる。
【００５２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５３】
１０１：制御装置、１０２：表示部、１０３：操作部、１０４：制御部、１０５：Ｘ線画像撮影装置、１０６：Ｘ線発生部、１０７：センサ部、１０８：外部入力機器、１０９：外部出力機器
【図１】
2014063384.tif 000003
【図２】
2014063384.tif 000004
【図３】
2014063384.tif 000005
【図４】
2014063384.tif 000006
【図５】
2014063384.tif 000007
【図６】
2014063384.tif 000008
【図７】
2014063384.tif 000009
【図８】
2014063384.tif 000010
【図９】
2014063384.tif 000011
【図１０】
2014063384.tif 000012
【図１１】
2014063384.tif 000013